(57)【要約】【課題】  身体の小さい子供などが使用するのに適したフットレストを提供する。【解決手段】  フットレスト１は、着座者の尻の下に敷かれる座面シート２と、座面シート２の前方端に連結され、着座者のふくらはぎを下から支えるふくらはぎ当てクッション材３と、ふくらはぎ当てクッション材３に連結され、着座者の足を下から支える足載せ部材４と、足載せ部材４の位置を保持するために、足載せ部材４の前方端から延びている連結部材５，６とを備える。【選択図】      図１
2006205995.tif 000002
【特許請求の範囲】
【請求項１】
着座者の尻の下に敷かれる座面シートと、
前記座面シートの前方端に連結され、着座者のふくらはぎを下から支えるふくらはぎ当てクッション材と、
前記ふくらはぎ当てクッション材に連結され、着座者の足を下から支える足載せ部材と、
前記足載せ部材の位置を保持するために、前記足載せ部材の前方端から延びている連結部材とを備える、フットレスト。
【請求項２】
前記足載せ部材は、芯材と、この芯材を覆うカバーとを含む、請求項１に記載のフットレスト。
【請求項３】
前記連結部材は、前記足載せ部材の前方端の左右の位置から延びるひも状部材を含む、請求項１または２に記載のフットレスト。
【請求項４】
前記座面シートは、子供座席に備え付けの股ベルトを挿通させる開口を有している、請求項１〜３のいずれかに記載のフットレスト。
【請求項５】
前記ふくらはぎ当てクッション材と前記足載せ部材との間隔を調節するための第１間隔調節部材をさらに備える、請求項１〜４のいずれかに記載のフットレスト。
【請求項６】
前記座面シートと前記ふくらはぎ当てクッション材との間隔を調節するための第２間隔調節部材をさらに備える、請求項１〜５のいずれかに記載のフットレスト。
【発明の詳細な説明】
【技術分野】
【０００１】
この発明は、座席に座った人の足を下から支えるフットレストに関し、特に車の座席や、チャイルドシート等に適したフットレストに関するものである。
【背景技術】
【０００２】
例えば特開２００３−２１２０２６号公報（特許文献１）、特開２０００−３３３７７４号公報（特許文献２）および実開平７−２２８３８号公報（特許文献３）は、車の座席に座っている人が足を載せることのできるフットレストを開示している。
【特許文献１】特開２００３−２１２０２６号公報
【特許文献２】特開２０００−３３３７７４号公報
【特許文献３】実開平７−２２８３８号公報
【発明の開示】
【発明が解決しようとする課題】
【０００３】
上記の先行技術文献に開示されたフットレストは、座席を構成する部材に予め組み込んでいるため、身体が小さい子供にとって使い難いものであった。
【０００４】
特に、車の座席上に設置されるジュニアシートやチャイルドシートに着座した子供の足は、車の床面から上方に大きく離れる。
【０００５】
この発明の目的は、身体の小さい子供などが使用するのに適したフットレストを提供することである。
【課題を解決するための手段】
【０００６】
この発明に従ったフットレストは、着座者の尻の下に敷かれる座面シートと、座面シートの前方端に連結され、着座者のふくらはぎを下から支えるふくらはぎ当てクッション材と、ふくらはぎ当てクッション材に連結され、着座者の足を下から支える足載せ部材と、足載せ部材の位置を保持するために、足載せ部材の前方端から延びている連結部材とを備える。
【０００７】
上記構成の本発明によれば、フットレストは座席に固定されておらず、着座者の尻の下に敷くことによってその位置を固定するので、使い勝手が非常に良くなる。また、ふくらはぎ当てクッション材を備えているので、ふくらはぎに対して心地良い感触を与えることができる。このようなフットレストは、車の座席上に直接置くこともできるし、ジュニアシートやチャイルドシート上に置くこともできる。連結部材は、例えば、座席の背面部分や周囲の構造物等に連結され、それによって足載せ部材を適正な姿勢に維持する。
【０００８】
一つの実施形態では、足載せ部材は、芯材と、この芯材を覆うカバーとを含む。芯材を備えることにより、着座者の足をしっかりと支えることができる。また、カバーの材質を防水性に優れたものにしておけば、汚れたときに簡単にふき取ることができる。
【０００９】
連結部材は、例えば、足載せ部材の前方端の左右の位置から延びるひも状部材を含む。足載せ部材の前方端から延びる連結部材は、例えば、座席の背面部分や、周辺の位置に連結されることにより、足載せ部材を適正な姿勢に維持する。
【００１０】
座面シートは、好ましくは、子供座席に備え付けの股ベルトを挿通させる開口を有している。このようにすれば、座面シートを子供座席上に支障なく置くことができる。
【００１１】
フットレストは、好ましくは、ふくらはぎ当てクッション材と足載せ部材との間隔を調節するための第１間隔調節部材を備える。さらに好ましくは、フットレストは、座面シートとふくらはぎ当てクッション材との間隔を調節するための第２間隔調節部材を備える。
【発明を実施するための最良の形態】
【００１２】
図１は、この発明の一実施形態に係るフットレストの平面図であり、図２は、図１の線Ａ−Ａに沿って見た断面図である。また、図３は、使用状態を示す図解図である。
【００１３】
図示するように、フットレスト１は、着座者の尻の下に敷かれる座面シート２と、座面シート２の前方端に連結帯７，８を介して連結され、着座者のふくらはぎを下から支えるふくらはぎ当てクッション材３と、ふくらはぎ当てクッション材３に連結ベルト９，１０を介して連結され、着座者の足を下から支える足載せ部材４と、足載せ部材４の位置を保持するために、足載せ部材４の前方端から延びている連結部材５，６とを備える。
【００１４】
座面シート２は、そのほぼ中央に子供座席に備え付けの股ベルトを挿通させる開口２１を有している。図示した実施形態では、座面シート２には、その前端縁から開口２１にまで延びるスリット２２が形成されている。
【００１５】
ふくらはぎ当てクッション材３は、厚みがあって横方向に延びる柔軟性のあるパッド３１と、このパッド３１を覆うカバー３２とを含む。柔軟パッド３１の厚みを適宜選ぶことによって、着座者のふくらはぎ対して心地良い感触を与えることができる。
【００１６】
足載せ部材４は、例えば剛性のある樹脂製プレートからなる芯材４１と、この芯材４１を覆うカバー４２とを含む。芯材４１は、着座者の足を下からしっかりと支える。カバー４２は、汚れたときに簡単にふき取ることができるようにするために、防水性に優れた材質のものから作られるのが良い。
【００１７】
図示した実施形態では、足載せ部材４の前方端から延びる連結部材は、足載せ部材４の前方端の左右の位置から延びる連結ベルト５，６である。これらの連結ベルト５，６は、例えば、座席背もたれ部の背面や、座席周囲の適当な位置に連結されることにより、足載せ部材４をほぼ水平な姿勢に維持する。連結ベルトに代えて、紐を用いても良い。これらのひも状部材の先端にフックやバックルなどの連結具を取付けるようにしても良い。
【００１８】
ふくらはぎ当てクッション材３から延びている連結ベルト９，１０は、足載せ部材４の後方端の左右の位置に取付けられた連結環１１，１２に連結されている。好ましくは、連結ベルト９，１０に、ベルトの長さ調節を可能にする間隔調節部材１３，１４を取付けておく。このようにすることにより、使用者の身体の大きさに応じて、ふくらはぎ当てクッション材３と足載せ部材４との間隔を調節できる。図示していないが、同様に、座面シート２とふくらはぎ当てクッション材３とを連結する連結帯７，８に間隔調節部材を取付けるようにしても良い。
【００１９】
フットレスト１の使用状態では、座面シート２が着座者の尻の下に敷かれる。ふくらはぎ当てクッション材３は、座席５０の前端壁に沿って位置し、着座者のふくらはぎを下から支える。図３に示す状態では、足載せ部材４の前方端から延びている連結ベルト５，６は座席の背もたれ部の背面に接続され、それによって足載せ部材４をほぼ水平な姿勢に維持している。連結ベルト５，６の長さは、好ましくは、調節可能である。着座者の足は、ほぼ水平に維持された足載せ部材４上に置かれる。
【００２０】
図３は、フットレスト１を車の座席上に直接置いている状態を示している。他の使用例として、車の座席上にジュニアシート等をおき、このジュニアシート等の上にフットレスト１を置くようにしても良い。
【００２１】
図４は、フットレストの他の使用例を示している。図４に示す状態では、足載せ部材４が取外されて、ふくらはぎ当てクッション材３から連結ベルト９，１０が長く延びている。子供の身体が小さい場合には、図４に示すように、ふくらはぎ当てクッション材３を座部の延長部として使用するようにしてもよい。連結ベルト９，１０は、例えば、前方の座席に連結され、それによってふくらはぎ当てクッション材３を座面シート２とほぼ同じ高さに維持する。子供の脚は前方にほぼ真直ぐに伸び、足がふくらはぎ当てクッション材３によって下から支持されている。
【００２２】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００２３】
この発明は、座席に座った着座者の足を下から支えるフットレストとして、有利に利用され得る。
【図面の簡単な説明】
【００２４】
【図１】この発明の一実施形態に係るフットレストの平面図である。
【図２】図１の線Ａ−Ａに沿って見た断面図である。
【図３】この発明の一実施形態に係るフットレストの使用状態を示す図解図である。
【図４】フットレストの他の使用形態を示す図解図である。
【符号の説明】
【００２５】
１  フットレスト、２  座面シート、３  ふくらはぎ当てクッション材、４  足載せ部材、５，６  連結ベルト、７，８  連結帯、９，１０  連結ベルト、１１，１２  連結環、１３，１４  間隔調節部材、２１  開口、２２  スリット、３１  柔軟パッド、３２  カバー、４１  芯材、４２  カバー。
【図１】
2006205995.tif 000003
【図２】
2006205995.tif 000004
【図３】
2006205995.tif 000005
【図４】
2006205995.tif 000006